(57)【要約】【課題】センターケース内の大入賞口の扉部材を開閉して、遊技球が大入賞口とは異なる入賞部へ入賞するという期待感を変化させることができ、遊技の興趣を高めることができる遊技機を提供する。【解決手段】球転動部２４とケース大入賞口３３とを備え、ケース大入賞口３３は、扉部材３６と、誘導状態と誘導不能状態とに変換可能な誘導部４３とを備え、球転動部２４に補助誘導部４４を備え、特定遊技状態では、扉部材３６を開いて遊技球がケース大入賞口３３に入賞することを許容するとともに、誘導部４３を誘導不能状態に変換して遊技球が誘導部４３及び補助誘導部４４を介して始動入賞口側へ誘導されることを阻止し、非特定遊技状態では、扉部材３６を閉じて遊技球がケース大入賞口３３に入賞することを阻止するとともに、誘導部４３を誘導状態に変換して遊技球が誘導部４３及び補助誘導部４４を介して始動入賞口側へ誘導されることを許容するように構成した。【選択図】図３
2007175221.tif 000002
【特許請求の範囲】
【請求項１】
前面側が開口した凹室を設けたセンターケースと、表示部を設けた表示装置と、センターケースの下方に配置され、遊技球を入賞可能な入賞部と、を備え、
前記凹室の奥手側に窓部を開設し、該窓部に表示装置の表示部を臨ませ、該表示部における表示内容が予め定められた特別表示になった場合に、遊技者にとって有利な特定遊技状態を発生可能な遊技機において、
前記センターケースは、
前記凹室の底部に設けられ、遊技球が転動可能な球転動部と、
該球転動部を転動する遊技球が入賞可能な大入賞口と、を備え、
該大入賞口は、当該大入賞口を開閉可能な扉部材と、該扉部材の上面に配置され、遊技球を入賞部の上方へ誘導可能な誘導状態と、誘導しない誘導不能状態とに変換可能な誘導部と、を備え、
前記球転動部のうち誘導部と入賞部との間に、誘導部により誘導された遊技球を入賞部側へ誘導する補助誘導部を備え、
前記特定遊技状態では、扉部材を開いて遊技球が大入賞口に入賞することを許容するとともに、誘導部を誘導不能状態に変換して遊技球が誘導部および補助誘導部を介して入賞部側へ誘導されることを阻止し、
前記特定遊技状態が発生していない非特定遊技状態では、扉部材を閉じて遊技球が大入賞口に入賞することを阻止するとともに、誘導部を誘導状態に変換して遊技球が誘導部および補助誘導部を介して入賞部側へ誘導されることを許容するように構成されたことを特徴とする遊技機。
【請求項２】
前記補助誘導部は、上端を誘導部側へ向けて開放し、下端を入賞部側へ向けて開放した窪部で構成されたことを特徴とする請求項１に記載の遊技機。
【請求項３】
前記誘導部は、扉部材の上面に突出した２条の突起から構成され、該突起の下流側端を補助誘導部の上流側に対向する位置に配置したことを特徴とする請求項１または請求項２に記載の遊技機。
【請求項４】
前記誘導部は、扉部材の上面を下方へ窪ませて形成された窪部で構成され、該窪部の下流側を補助誘導部の上流側に対向する状態で配置したことを特徴とする請求項１または請求項２に記載の遊技機。
【請求項５】
前面側が開口した凹室を設けたセンターケースと、表示部を設けた表示装置と、センターケースの下方に配置され、遊技球を入賞可能な入賞部と、を備え、
前記凹室の奥手側に窓部を開設し、該窓部に表示装置の表示部を臨ませ、該表示部における表示内容が予め定められた特別表示になった場合に、遊技者にとって有利な特定遊技状態を発生可能な遊技機において、
前記センターケースは、
前記凹室の底部に設けられ、遊技球が転動可能な球転動部と、
該球転動部を転動する遊技球が入賞可能な大入賞口と、を備え、
該大入賞口は、当該大入賞口を開閉可能な扉部材と、該扉部材上に到達した遊技球を入賞部の上方へ誘導可能な誘導流下部を備え、
該誘導流下部は、扉部材に開設された誘導流入口と、該誘導流入口に連通可能であり、遊技球を流下させる誘導流路と、該誘導流路の下流端に連通し、入賞部の上方に開設された誘導流出口と、を備え、
前記特定遊技状態では、扉部材を開いて遊技球が大入賞口に入賞することを許容するとともに、誘導流路の上方を開放して、誘導流路に落下した遊技球が誘導流路および誘導流出口を介して入賞部側へ誘導されることを許容し、
前記特定遊技状態が発生していない非特定遊技状態では、扉部材を閉じて遊技球が大入賞口に入賞することを阻止するとともに、誘導流入口と誘導流路とを連通して遊技球が誘導流入口、誘導流路、および誘導流出口を介して入賞部に入賞することを許容するように構成されたことを特徴とする遊技機。
【請求項６】
前面側が開口した凹室を設けたセンターケースと、表示部を設けた表示装置と、センターケースの下方に配置され、遊技球を入賞可能な入賞部と、を備え、
前記凹室の奥手側に窓部を開設し、該窓部に表示装置の表示部を臨ませ、該表示部における表示内容が予め定められた特別表示になった場合に、遊技者にとって有利な特定遊技状態を発生可能な遊技機において、
前記センターケースは、
前記凹室の底部に設けられ、遊技球が転動可能な球転動部と、
該球転動部を転動する遊技球が入賞可能な大入賞口と、を備え、
該大入賞口は、下流端を入賞部側に配置した球通路と、該球通路の左右両側に配置され、当該大入賞口を開閉可能な２つの扉部材と、を備え、
前記特定遊技状態では、左右の扉部材を開いて遊技球が大入賞口に入賞することを許容するとともに、左右の扉部材を球通路の側縁に起立した姿勢で配置して、球通路を通過する遊技球を入賞部の上方へ誘導し、
前記特定遊技状態が発生していない非特定遊技状態では、左右の扉部材を閉じて遊技球が大入賞口に入賞することを阻止するとともに、左右の扉部材を球通路と略同一平面上に配置し、球通路を通過する遊技球を球通路から外れることを許容するように構成されたことを特徴とする遊技機。
【請求項７】
前記球転動部のうち大入賞口の球通路と入賞部との間に、球通路を流下してきた遊技球を入賞部側へ誘導する補助誘導部を備えたことを特徴とする請求項６に記載の遊技機。
【請求項８】
前面側が開口した凹室を設けたセンターケースと、表示部を設けた表示装置と、センターケースの下方に配置され、遊技球を入賞可能な入賞部と、を備え、
前記凹室の奥手側に窓部を開設し、該窓部に表示装置の表示部を臨ませ、該表示部における表示内容が予め定められた特別表示になった場合に、遊技者にとって有利な特定遊技状態を発生可能な遊技機において、
前記センターケースは、
前記凹室の底部に設けられ、遊技球が転動可能な球転動部と、
該球転動部を転動する遊技球が入賞可能な大入賞口と、を備え、
該大入賞口は、当該大入賞口を開閉可能な扉部材と、該扉部材の下方に配置され、遊技球を後方へ案内可能な球案内路と、扉部材および球案内路の後方に開設され、遊技球が通過可能な通過開口と、扉部材の上面に配置され、遊技球を入賞部の上方へ誘導可能な誘導状態と、誘導しない誘導不能状態とに変換可能な誘導部と、を備え、
前記特定遊技状態では、扉部材を開いて球案内路を露出し、且つ扉部材を通過開口から遠ざけて、遊技球が球案内路および通過開口を通過して大入賞口に入賞することを許容するとともに、誘導部を誘導不能状態に変換して遊技球が誘導部を介して入賞部側へ誘導されることを阻止し、
前記特定遊技状態が発生していない非特定遊技状態では、扉部材を閉じて球案内路を覆い、且つ扉部材を通過開口に近づけて、遊技球が球案内路および通過開口を通過して大入賞口に入賞することを阻止するとともに、誘導部を誘導状態に変換して遊技球が誘導部を介して入賞部側へ誘導されることを許容するように構成されたことを特徴とする遊技機。
【請求項９】
前記誘導部は、扉部材の上面に突出した２条の突起から構成され、該突起の下流側端を入賞部寄りに配置したことを特徴とする請求項８に記載の遊技機。
【発明の詳細な説明】
【技術分野】
【０００１】
本発明は、凹室を設けたセンターケースと、表示部を設けた表示装置と、遊技球を入賞可能な入賞部とを備えたパチンコ遊技機等の遊技機に関する。
【背景技術】
【０００２】
従来の遊技機、例えばパチンコ遊技機には、遊技領域の略中央にセンターケースを備え、該センターケースの下方に入賞部（例えば始動入賞口）を配置し、センターケースに前面側が開口した凹室を設け、凹室の奥側には窓部を開設し、該窓部から表示装置の表示部を前方へ臨ませたものがある。そして、凹室の底部に球転動部（ステージ）を設けて遊技球が横方向（前後方向あるいは左右方向）へ転動可能とし、球転動部のうち入賞部の上方に窪部を設けて、球転動部上の遊技球が窪部を流下して入賞部へ流下（入賞）し易いように構成されたものが多い。さらに、このような球転動部を備えたパチンコ遊技機において、球転動部に遊技球が入賞可能な大入賞口を配置し、遊技球が球転動部上で入賞できるように構成して、遊技の興趣向上を図ったパチンコ遊技機が提案されている（例えば、特許文献１参照。）。
【特許文献１】特開２００４−０４９７９５号公報（第１３頁、第１１図）
【発明の開示】
【発明が解決しようとする課題】
【０００３】
ところで、上記特許文献に記載のパチンコ遊技機は、大入賞口を開閉する扉部材を動かしたとしても、遊技球が大入賞口に入賞可能か否かのみを変化させるだけであり、窪部の姿勢（状態）を変化させることができない。したがって、大入賞口の開閉に拘らず、窪部に到達した遊技球の挙動が単調になりがちであり、窪部により遊技球がセンターケースの下方の入賞部へ誘導される度合いを極端に変えることができない。この結果、大入賞口の扉部材が動いたとしても、遊技球が大入賞口とは異なる入賞部へ入賞するという期待感を変化させることができず、遊技の興趣を高め難い。
【０００４】
そこで、本発明は、上記の事情に鑑みてなされたものであり、その目的は、センターケース内の大入賞口の扉部材を開閉して、遊技球が大入賞口とは異なる入賞部へ入賞するという期待感を変化させることができ、遊技の興趣を高めることができる遊技機を提供しようとするものである。
【課題を解決するための手段】
【０００５】
本発明は、上記目的を達成するために提案されたものであり、請求項１に記載のものは、前面側が開口した凹室を設けたセンターケースと、表示部を設けた表示装置と、センターケースの下方に配置され、遊技球を入賞可能な入賞部と、を備え、
前記凹室の奥手側に窓部を開設し、該窓部に表示装置の表示部を臨ませ、該表示部における表示内容が予め定められた特別表示になった場合に、遊技者にとって有利な特定遊技状態を発生可能な遊技機において、
前記センターケースは、
前記凹室の底部に設けられ、遊技球が転動可能な球転動部と、
該球転動部を転動する遊技球が入賞可能な大入賞口と、を備え、
該大入賞口は、当該大入賞口を開閉可能な扉部材と、該扉部材の上面に配置され、遊技球を入賞部の上方へ誘導可能な誘導状態と、誘導しない誘導不能状態とに変換可能な誘導部と、を備え、
前記球転動部のうち誘導部と入賞部との間に、誘導部により誘導された遊技球を入賞部側へ誘導する補助誘導部を備え、
前記特定遊技状態では、扉部材を開いて遊技球が大入賞口に入賞することを許容するとともに、誘導部を誘導不能状態に変換して遊技球が誘導部および補助誘導部を介して入賞部側へ誘導されることを阻止し、
前記特定遊技状態が発生していない非特定遊技状態では、扉部材を閉じて遊技球が大入賞口に入賞することを阻止するとともに、誘導部を誘導状態に変換して遊技球が誘導部および補助誘導部を介して入賞部側へ誘導されることを許容するように構成されたことを特徴とする遊技機である。
【０００６】
請求項２に記載のものは、前記補助誘導部は、上端を誘導部側へ向けて開放し、下端を入賞部側へ向けて開放した窪部で構成されたことを特徴とする請求項１に記載の遊技機である。
【０００７】
請求項３に記載のものは、前記誘導部は、扉部材の上面に突出した２条の突起から構成され、該突起の下流側端を補助誘導部の上流側に対向する位置に配置したことを特徴とする請求項１または請求項２に記載の遊技機である。
【０００８】
請求項４に記載のものは、前記誘導部は、扉部材の上面を下方へ窪ませて形成された窪部で構成され、該窪部の下流側を補助誘導部の上流側に対向する状態で配置したことを特徴とする請求項１または請求項２に記載の遊技機である。
【０００９】
請求項５に記載のものは、前面側が開口した凹室を設けたセンターケースと、表示部を設けた表示装置と、センターケースの下方に配置され、遊技球を入賞可能な入賞部と、を備え、
前記凹室の奥手側に窓部を開設し、該窓部に表示装置の表示部を臨ませ、該表示部における表示内容が予め定められた特別表示になった場合に、遊技者にとって有利な特定遊技状態を発生可能な遊技機において、
前記センターケースは、
前記凹室の底部に設けられ、遊技球が転動可能な球転動部と、
該球転動部を転動する遊技球が入賞可能な大入賞口と、を備え、
該大入賞口は、当該大入賞口を開閉可能な扉部材と、該扉部材上に到達した遊技球を入賞部の上方へ誘導可能な誘導流下部を備え、
該誘導流下部は、扉部材に開設された誘導流入口と、該誘導流入口に連通可能であり、遊技球を流下させる誘導流路と、該誘導流路の下流端に連通し、入賞部の上方に開設された誘導流出口と、を備え、
前記特定遊技状態では、扉部材を開いて遊技球が大入賞口に入賞することを許容するとともに、誘導流路の上方を開放して、誘導流路に落下した遊技球が誘導流路および誘導流出口を介して入賞部側へ誘導されることを許容し、
前記特定遊技状態が発生していない非特定遊技状態では、扉部材を閉じて遊技球が大入賞口に入賞することを阻止するとともに、誘導流入口と誘導流路とを連通して遊技球が誘導流入口、誘導流路、および誘導流出口を介して入賞部に入賞することを許容するように構成されたことを特徴とする遊技機である。
【００１０】
請求項６に記載のものは、前面側が開口した凹室を設けたセンターケースと、表示部を設けた表示装置と、センターケースの下方に配置され、遊技球を入賞可能な入賞部と、を備え、
前記凹室の奥手側に窓部を開設し、該窓部に表示装置の表示部を臨ませ、該表示部における表示内容が予め定められた特別表示になった場合に、遊技者にとって有利な特定遊技状態を発生可能な遊技機において、
前記センターケースは、
前記凹室の底部に設けられ、遊技球が転動可能な球転動部と、
該球転動部を転動する遊技球が入賞可能な大入賞口と、を備え、
該大入賞口は、下流端を入賞部側に配置した球通路と、該球通路の左右両側に配置され、当該大入賞口を開閉可能な２つの扉部材と、を備え、
前記特定遊技状態では、左右の扉部材を開いて遊技球が大入賞口に入賞することを許容するとともに、左右の扉部材を球通路の側縁に起立した姿勢で配置して、球通路を通過する遊技球を入賞部の上方へ誘導し、
前記特定遊技状態が発生していない非特定遊技状態では、左右の扉部材を閉じて遊技球が大入賞口に入賞することを阻止するとともに、左右の扉部材を球通路と略同一平面上に配置し、球通路を通過する遊技球を球通路から外れることを許容するように構成されたことを特徴とする遊技機である。
【００１１】
請求項７に記載のものは、前記球転動部のうち大入賞口の球通路と入賞部との間に、球通路を流下してきた遊技球を入賞部側へ誘導する補助誘導部を備えたことを特徴とする請求項６に記載の遊技機である。
【００１２】
請求項８に記載のものは、前面側が開口した凹室を設けたセンターケースと、表示部を設けた表示装置と、センターケースの下方に配置され、遊技球を入賞可能な入賞部と、を備え、
前記凹室の奥手側に窓部を開設し、該窓部に表示装置の表示部を臨ませ、該表示部における表示内容が予め定められた特別表示になった場合に、遊技者にとって有利な特定遊技状態を発生可能な遊技機において、
前記センターケースは、
前記凹室の底部に設けられ、遊技球が転動可能な球転動部と、
該球転動部を転動する遊技球が入賞可能な大入賞口と、を備え、
該大入賞口は、当該大入賞口を開閉可能な扉部材と、該扉部材の下方に配置され、遊技球を後方へ案内可能な球案内路と、扉部材および球案内路の後方に開設され、遊技球が通過可能な通過開口と、扉部材の上面に配置され、遊技球を入賞部の上方へ誘導可能な誘導状態と、誘導しない誘導不能状態とに変換可能な誘導部と、を備え、
前記特定遊技状態では、扉部材を開いて球案内路を露出し、且つ扉部材を通過開口から遠ざけて、遊技球が球案内路および通過開口を通過して大入賞口に入賞することを許容するとともに、誘導部を誘導不能状態に変換して遊技球が誘導部を介して入賞部側へ誘導されることを阻止し、
前記特定遊技状態が発生していない非特定遊技状態では、扉部材を閉じて球案内路を覆い、且つ扉部材を通過開口に近づけて、遊技球が球案内路および通過開口を通過して大入賞口に入賞することを阻止するとともに、誘導部を誘導状態に変換して遊技球が誘導部を介して入賞部側へ誘導されることを許容するように構成されたことを特徴とする遊技機である。
【００１３】
請求項９に記載のものは、前記誘導部は、扉部材の上面に突出した２条の突起から構成され、該突起の下流側端を入賞部寄りに配置したことを特徴とする請求項８に記載の遊技機である。
【発明の効果】
【００１４】
本発明によれば、以下のような優れた効果を奏する。
請求項１に記載の発明によれば、センターケースは、凹室の底部に設けられ、遊技球が転動可能な球転動部と、該球転動部を転動する遊技球が入賞可能な大入賞口と、を備え、該大入賞口は、当該大入賞口を開閉可能な扉部材と、該扉部材の上面に配置され、遊技球を入賞部の上方へ誘導可能な誘導状態と、誘導しない誘導不能状態とに変換可能な誘導部と、を備え、球転動部のうち誘導部と入賞部との間に、誘導部により誘導された遊技球を入賞部側へ誘導する補助誘導部を備え、特定遊技状態では、扉部材を開いて遊技球が大入賞口に入賞することを許容するとともに、誘導部を誘導不能状態に変換して遊技球が誘導部および補助誘導部を介して入賞部側へ誘導されることを阻止し、特定遊技状態が発生していない非特定遊技状態では、扉部材を閉じて遊技球が大入賞口に入賞することを阻止するとともに、誘導部を誘導状態に変換して遊技球が誘導部および補助誘導部を介して入賞部側へ誘導されることを許容するように構成されたので、扉部材の開閉により、球転動部を転動する遊技球が大入賞口へ入賞可能か否かを変化させることができ、さらには、球転動部上の遊技球の挙動を複雑にして遊技球がセンターケースの下方の入賞部へ誘導される度合い、詳しくは入賞部へ誘導されるか否かを変化させることができる。したがって、大入賞口の扉部材を開閉して、遊技球が大入賞口とは異なる入賞部へ入賞するという期待感を変化させることができ、遊技の興趣を高めることができる。
【００１５】
請求項２に記載の発明によれば、補助誘導部は、上端を誘導部側へ向けて開放し、下端を入賞部側へ向けて開放した窪部で構成されたので、補助誘導部による遊技球の誘導を安定して行うことができ、誘導部から流下する遊技球を入賞部へ入賞し易くすることができる。
【００１６】
請求項３に記載の発明によれば、誘導部は、扉部材の上面に突出した２条の突起から構成され、該突起の下流側端を補助誘導部の上流側に対向する位置に配置したので、遊技球を誘導可能な誘導部を簡単な構成で実現することができる。
【００１７】
請求項４に記載の発明によれば、誘導部は、扉部材の上面を下方へ窪ませて形成された窪部で構成され、該窪部の下流側を補助誘導部の上流側に対向する状態で配置したので、誘導部による遊技球の誘導を安定して行うことができ、扉部材上の遊技球を入賞部へ一層入賞し易くすることができる。
【００１８】
請求項５に記載の発明によれば、センターケースは、凹室の底部に設けられ、遊技球が転動可能な球転動部と、該球転動部を転動する遊技球が入賞可能な大入賞口と、を備え、該大入賞口は、当該大入賞口を開閉可能な扉部材と、該扉部材上に到達した遊技球を入賞部の上方へ誘導可能な誘導流下部を備え、該誘導流下部は、扉部材に開設された誘導流入口と、該誘導流入口に連通可能であり、遊技球を流下させる誘導流路と、該誘導流路の下流端に連通し、入賞部の上方に開設された誘導流出口と、を備え、特定遊技状態では、扉部材を開いて遊技球が大入賞口に入賞することを許容するとともに、誘導流路の上方を開放して、誘導流路に落下した遊技球が誘導流路および誘導流出口を介して入賞部側へ誘導されることを許容し、特定遊技状態が発生していない非特定遊技状態では、扉部材を閉じて遊技球が大入賞口に入賞することを阻止するとともに、誘導流入口と誘導流路とを連通して遊技球が誘導流入口、誘導流路、および誘導流出口を介して入賞部に入賞することを許容するように構成したので、扉部材の開閉により、球転動部を転動する遊技球が大入賞口へ入賞可能か否かを変化させることができ、さらには、球転動部上の遊技球の挙動を複雑にして遊技球がセンターケースの下方の入賞部へ誘導される度合い、詳しくは入賞部へ誘導される経路を変化させることができる。したがって、大入賞口の扉部材を開閉して、遊技球が大入賞口とは異なる入賞部へ入賞するという期待感を変化させることができ、遊技の興趣を高めることができる。
【００１９】
請求項６に記載の発明によれば、センターケースは、凹室の底部に設けられ、遊技球が転動可能な球転動部と、該球転動部を転動する遊技球が入賞可能な大入賞口と、を備え、該大入賞口は、下流端を入賞部側に配置した球通路と、該球通路の左右両側に配置され、当該大入賞口を開閉可能な２つの扉部材と、を備え、特定遊技状態では、左右の扉部材を開いて遊技球が大入賞口に入賞することを許容するとともに、左右の扉部材を球通路の側縁に起立した姿勢で配置して、球通路を通過する遊技球を入賞部の上方へ誘導し、特定遊技状態が発生していない非特定遊技状態では、左右の扉部材を閉じて遊技球が大入賞口に入賞することを阻止するとともに、左右の扉部材を球通路と略同一平面上に配置し、球通路を通過する遊技球を球通路から外れることを許容するように構成したので、扉部材の開閉により、球転動部を転動する遊技球が大入賞口へ入賞可能か否かを変化させることができ、さらには、球転動部上の遊技球の挙動を複雑にして遊技球がセンターケースの下方の入賞部へ誘導される度合い、詳しくは入賞部へ誘導され易くなるか否かを変化させることができる。したがって、大入賞口の扉部材を開閉して、遊技球が大入賞口とは異なる入賞部へ入賞するという期待感を変化させることができ、遊技の興趣を高めることができる。
【００２０】
請求項７に記載の発明によれば、球転動部のうち大入賞口の球通路と入賞部との間に、球通路を流下してきた遊技球を入賞部側へ誘導する補助誘導部を備えたので、起立した扉部材により誘導された遊技球を入賞部へ一層入賞し易くすることができ、遊技の興趣をさらに高めることができる。
【００２１】
請求項８に記載の発明によれば、センターケースは、凹室の底部に設けられ、遊技球が転動可能な球転動部と、該球転動部を転動する遊技球が入賞可能な大入賞口と、を備え、該大入賞口は、当該大入賞口を開閉可能な扉部材と、該扉部材の下方に配置され、遊技球を後方へ案内可能な球案内路と、扉部材および球案内路の後方に開設され、遊技球が通過可能な通過開口と、扉部材の上面に配置され、遊技球を入賞部の上方へ誘導可能な誘導状態と、誘導しない誘導不能状態とに変換可能な誘導部と、を備え、特定遊技状態では、扉部材を開いて球案内路を露出し、且つ扉部材を通過開口から遠ざけて、遊技球が球案内路および通過開口を通過して大入賞口に入賞することを許容するとともに、誘導部を誘導不能状態に変換して遊技球が誘導部を介して入賞部側へ誘導されることを阻止し、特定遊技状態が発生していない非特定遊技状態では、扉部材を閉じて球案内路を覆い、且つ扉部材を通過開口に近づけて、遊技球が球案内路および通過開口を通過して大入賞口に入賞することを阻止するとともに、誘導部を誘導状態に変換して遊技球が誘導部を介して入賞部側へ誘導されることを許容するように構成したので、扉部材の開閉により、球転動部を転動する遊技球が大入賞口へ入賞可能か否かを変化させることができ、さらには、球転動部上の遊技球の挙動を複雑にして遊技球がセンターケースの下方の入賞部へ誘導される度合い、詳しくは入賞部へ誘導されるか否かを変化させることができる。したがって、大入賞口の扉部材を開閉して、遊技球が大入賞口とは異なる入賞部へ入賞するという期待感を変化させることができ、遊技の興趣を高めることができる。
また、大入賞口に入賞した遊技球を扉部材の後方へ案内して回収することができる。したがって、遊技球の回収路をセンターケースの下部に配置する必要がなく、センターケースのデザインの自由度や、センターケースとその下方の入賞部との距離の自由度を増大することができる。
【００２２】
請求項９に記載の発明によれば、誘導部は、扉部材の上面に突出した２条の突起から構成され、該突起の下流側端を入賞部寄りに配置したので、遊技球を誘導可能な誘導部を簡単な構成で実現することができる。
【発明を実施するための最良の形態】
【００２３】
以下、代表的な遊技機であるパチンコ遊技機を例に挙げて本発明の実施の最良の形態を図面に基づき説明する。図１はパチンコ遊技機の遊技盤の正面図である。
パチンコ遊技機の遊技盤１は、図１に示すように、表面にガイドレール２やサイドケース３等の区画部材により区画された遊技領域４を形成し、該遊技領域４の前方にガラス板５（図４参照）を収納した前面カバー部材（図示せず）を配置し、ガラス板５を通して遊技領域４を前方から透視できるように構成されている。そして、該遊技領域４内の略中央にセンターケース６を配設し、該センターケース６の後方には、液晶パネル等の表示部７ａを備えた表示装置（変動表示装置）７を配置し、表示部７ａに画像（表示内容）を遊技の進行に基づいて変動可能な状態で表示できるように構成されている。また、センターケース６の下方には、遊技球を入賞可能であり、左右両側に羽根状の開閉部材８ａを備えた始動入賞口８（本発明における入賞部に相当）を配置し、センターケース６の側方（左側方）には普図始動ゲート９を配置し、センターケース６の左下方および右下方には、発光により各種の装飾表示を行う円弧状のサイドランプ１０を配置している。さらに、始動入賞口８の下方には、第１大入賞口となる領域大入賞口１１を配置し、該領域大入賞口１１の左右両側方に一般入賞口１２を備え、領域大入賞口１１の下方であって遊技領域４の下縁部には、入賞せずに流下した遊技球を回収するアウト口１３を設け、始動入賞口８、普図始動ゲート９、領域大入賞口１１やセンターケース６等の取付部分を除いた遊技領域４内に障害釘（図示せず）を植設したり、あるいは、遊技球の流下方向を変える風車（図示せず）を配置したりしている。また、センターケース６と始動入賞口８との間には、命釘１４を複数本（図１では２本）横に並べて植設し、命釘１４の間隔を遊技球の直径よりも僅かに広い幅に設定し、斜め上方から流下する遊技球が始動入賞口８へ入賞することを規制するが、真上から流下する遊技球が始動入賞口８へ入賞することを許容するように構成されている。
【００２４】
次に、センターケース６について説明する。
センターケース６は、図２に示すように、中央部分に前面側が開口した凹室１７を後方へ凹ませた状態で設け、該凹室１７の奥手側（後側）に矩形の窓部１８を開設し、該窓部１８から表示装置７の表示部７ａを前方へ臨ませている。また、センターケース６の凹室１７の前側縁部には、遊技盤１の表面に取り付ける枠状の取付基板１９を備え、凹室１７の上部には、ガイドレール２側（図１中左側）へ向けて下り傾斜した鎧部２０を前方へ突設し、該鎧部２０の左右両端部から縦長の側辺部２１を前方へ突出した状態で下方へ延設し、左右の側辺部２１の下端同士を接続する状態で凹室１７の底部２２を配置している。そして、凹室１７の底部２２には、遊技球が転動可能な球転動部２４を備え、ガイドレール２側（言い換えると鎧部２０の傾斜下端側）に位置する側辺部２１には、遊技球が通過可能な球導出路２５（ワープ流路）を設け、該球導出路２５の入口をガイドレール２側の側辺部２１に外方へ開放した状態で開設し、球導出路２５の出口を球転動部２４の側方（図２中左側方）に開設している。したがって、球導出路２５は、遊技領域４を流下する遊技球、詳しくは遊技領域４のうちガイドレール２とセンターケース６との間を流下する遊技球を球転動部２４へ導出できるように構成されている。
【００２５】
球転動部２４は、球導出路２５から流下してきた遊技球や、センターケース６の下方の遊技領域４から障害釘により弾き飛ばされてセンターケース６内へ進入してきた遊技球を横方向（前後方向あるいは左右方向）へ転動させるためのものである。球転動部２４は、図２および図３に示すように、当該球転動部２４の後側、言い換えると窓部１８側に配置された後側ステージ（第１ステージ）２７と、当該球転動部２４の前側、言い換えると後側ステージ２７を挟んで窓部１８側とは反対側に配置された前側ステージ（第２ステージ）２８とを備え、前側ステージ２８を下段とし、後側ステージ２７を上段とした所謂ひな壇形状を形成している。
【００２６】
後側ステージ２７は、底部２２の略全幅に亘る状態で形成された横長なステージであり、左右両側から中央部へ向けて下り傾斜するとともに、前方（前側ステージ２８側）へ下り傾斜した状態で形成されている（図３および図４参照）。また、当該後側ステージ２７の側方（図３中左側方）に球導出路２５の出口を配置し、球導出路２５から流下してきた遊技球がその流下勢で後側ステージ２７を左右方向へ転動できるように構成されている。さらに、後側ステージ２７の前後幅を遊技球の直径よりも僅かに広く設定し（図４参照）、後側ステージ２７の後縁部から上方の窓部１８（具体的には窓部１８の下側縁）へ向けて略垂直な起立壁（後方転動阻止壁）３０を設け、後側ステージ２７上の遊技球が窓部１８に入り込んで表示部７ａを損傷しないように構成されている。そして、後側ステージ２７の左右方向の途中には、遊技球を前側ステージ２８へ案内可能な前方案内部３１を複数箇所、具体的には、後側ステージ２７の中央部分の左右両側の２箇所に配置し、該前方案内部３１の底面をその左右方向の中央部分が下方に凹む湾曲面で形成し、この湾曲面を前方へ下り傾斜した状態に設定している。したがって、前方案内部３１に到達した遊技球は、前方案内部３１上を左右に揺動しながら前方に転動することができる。この結果、遊技球の動きの変化を大きくして遊技の興趣向上を図ることができる。
【００２７】
前側ステージ２８は、後側ステージ２７と略同じ左右幅、すなわち底部２２の略全幅に亘る状態で形成された横長なステージであり、当該前側ステージ２８の前後幅を後側ステージ２７の前後幅よりも広く、具体的には後側ステージ２７の前後幅の略１．５倍の幅に設定している（図４参照）。また、左右両側から中央部へ向けて下り傾斜するとともに、前方（凹室１７の開口側）へ下り傾斜した状態で形成されている。そして、前側ステージ２８の左右方向の中央部分には、球転動部２４を転動する遊技球が入賞可能な第２大入賞口となるケース大入賞口３３（本発明における大入賞口に相当）を配置し、該ケース大入賞口３３と始動入賞口８とが上下に並んだ状態に設定している。なお、ケース大入賞口３３の左右両側方の後方に後側ステージ２７の前方案内部３１を配置し、前方案内部３１から遊技球が転動してくると、この遊技球がケース大入賞口３３の側方へ到達するように構成されている。
【００２８】
ケース大入賞口３３は、図３および図４に示すように、前側ステージ２８の中央部分に開設された矩形孔状の入賞開口部３５と、該入賞開口部３５を開放あるいは閉成して当該ケース大入賞口３３を開閉可能な矩形板状の扉部材３６と、入賞開口部３５に連通する球流下空間部３７と、当該ケース大入賞口３３に流下（入賞）した遊技球を検出する入賞検出センサ３８と、扉部材３６を開閉する開閉ソレノイド等の駆動源（図示せず）とを備えて構成されている。
【００２９】
扉部材３６は、その前側に回動軸４０を左右方向へ延出した状態で備え、この回動軸４０を入賞開口部３５の左右両側縁の前側に回動自在な状態で軸着し、回動軸４０の端部を開閉ソレノイドの出力ロッドに接続している。そして、例えば、開閉ソレノイドを消磁した常態においては、当該扉部材３６の自由端部（後端部）を入賞開口部３５の後縁部の近傍に配置するとともに、前方へ僅かに下り傾斜した姿勢に設定され、入賞開口部３５、すなわちケース大入賞口３３を閉成する閉状態（横向き状態）を維持する（図３（ａ）および図４（ａ）参照）。一方、開閉ソレノイドを励磁すると、回動軸４０周りに回動し、当該扉部材３６の自由端部を上方へ移動して、入賞開口部３５、すなわちケース大入賞口３３を開放する開状態（縦向き状態）に変換する（図３（ｂ）参照）。なお、閉状態の扉部材３６は、左右に位置する前側ステージ２８よりも僅かに低い位置に配置され、前側ステージ２８あるいは後側ステージ２７を流下してきた遊技球が当該扉部材３６の上面へ転動できるように設定される。
【００３０】
球流下空間部３７は、前後方向へ延設された遊技球流路であり、扉部材３６の下方に配置されている。また、扉部材３６および入賞開口部３５の下方に臨ませた底部３７ａを後方へ下り傾斜させ、入賞開口部３５を通って下方へ落下してきた遊技球を遊技盤１の後方へ案内するように構成されている。さらに、球流下空間部３７の下流端の下方には、ケース大入賞口３３に入賞した遊技球を回収する球寄せ流路４１を接続し、該球寄せ流路４１と球流下空間部３７の下流端との間に入賞検出センサ３８を配置している。したがって、球流下空間部３７を流下してきた遊技球は、入賞検出センサ３８に検出され、球寄せ流路４１を流下して遊技盤１の下方へ案内されて回収される。
【００３１】
そして、センターケース６は、ケース大入賞口３３の扉部材３６上に到達した遊技球を前方、言い換えると始動入賞口８の上方へ誘導可能な誘導部４３と、該誘導部４３により誘導された遊技球を始動入賞口８側へ誘導する補助誘導部４４とを備えている。具体的に説明すると、誘導部４３は、図２および図３に示すように、扉部材３６の上面に突出した２条の突起４６から構成されており、扉部材３６の上面（詳しくは閉状態の扉部材３６の上面）のうち左右方向の中央部分、言い換えると始動入賞口８の真上に対応する位置に配置されている。そして、各突起４６を前後方向へ延出した状態で配置し、各突起４６の間隔を遊技球が通過可能な程度の幅、例えば、遊技球の下端底部が十分に嵌合可能な幅に設定し、突起４６間に前後方向へ延設された誘導路４７を形成している。さらに、突起４６の下流側端（前側端あるいは凹室１７の開口側に位置する端）を後述する前方の補助誘導部４４の上流側（後側あるいはケース大入賞口３３側）に対向する位置、さらには補助誘導部４４の左右両側縁の延長線上に配置している。したがって、誘導路４７は、その下流側端を補助誘導部４４の上流側に接続している。なお、突起４６は、その左右方向の中央部分から側縁部へ向けて下り傾斜させ、誘導部４３の側方から転動してきた遊技球が傾斜面を転動して突起４６を乗り越えて誘導部４３内、すなわち誘導路４７に進入可能とし、この遊技球を前方の補助誘導部４４へ誘導できるように構成されている。
【００３２】
このように扉部材３６上に配置された誘導部４３は、扉部材３６が閉状態に維持されている場合には、図４（ａ）に示すように、誘導路４７（突起４６）の上流側端が前側ステージ２８よりも僅かに低い位置に配置されて、前側ステージ２８や後側ステージ２７を転動してきた遊技球を誘導路４７に受け入れ可能となる。そして、受け入れた遊技球を始動入賞口８の上方へ誘導することができる。すなわち、誘導部４３は、扉部材３６が閉状態に変換すると、遊技球を始動入賞口８の上方へ誘導可能な誘導状態に変換する。
【００３３】
一方、扉部材３６を開状態に変換した場合には、図４（ｂ）に示すように、誘導部４３を扉部材３６に沿って縦向きに配置し、誘導路４７の上流側端および扉部材３６の自由端部が前側ステージ２８よりも高い位置に設定される。この結果、扉部材３６上に遊技球を転動させること、および遊技球を誘導部４３の誘導路４７へ到達させることができず、前側ステージ２８や後側ステージ２７を転動してきた遊技球を誘導路４７に受け入れ不能となる。すなわち、誘導部４３は、扉部材３６が開状態に変換すると、遊技球を始動入賞口８の上方へ誘導しない誘導不能状態に変換する。
【００３４】
補助誘導部４４は、球転動部２４（前側ステージ２８）のうち誘導部４３と始動入賞口８との間、詳しくは誘導部４３の前方に配置された通路であり、当該補助誘導部４４の上流端を誘導路４７の下流側端の前方に臨ませ、当該補助誘導部４４の下流端を始動入賞口８の真上に開設している。なお、本実施形態の補助誘導部４４は、前側ステージ２８の前側縁を下方へ窪ませて形成された窪部で構成され、該窪部の上端（前側ステージ２８側端）を誘導部４３へ向けて開放し、前側（ガラス板５側）を始動入賞口８（詳しくは始動入賞口８の真上）へ向けて開放している。
【００３５】
次に、球転動部２４の作用について説明する。なお、ケース大入賞口３３の扉部材３６は、予め閉状態に変換しているものとし、誘導部４３は、誘導状態に変換しているものとする。
上記のような構成の遊技盤１を備えたパチンコ遊技機において、発射装置（図示せず）から遊技球を発射すると、この遊技球は、ガイドレール２に案内されて遊技領域４の上部に達した後、障害釘や風車により方向を変えながら遊技領域４内を流下し、普図始動ゲート９、一般入賞口１２、始動入賞口８に入賞した場合には所定の賞球が遊技者に付与され、何れにも入賞しなかった場合には、アウト口１３から遊技盤１の裏側に回収される。そして、遊技球が普図始動ゲート９に入賞すると、パチンコ遊技機は、普図変動表示部（図示せず）にて普図変動表示ゲーム（補助遊技）を行い、普図変動表示ゲームの結果態様が「当たり」になった場合に、始動入賞口８の開閉部材８ａが開いて、遊技球が始動入賞口８へ入賞し易い状態に変換する。なお、普図変動表示ゲームの実行中に遊技球が普図始動ゲート９を通過した場合には、この遊技球の通過により実行されるはずの普図変動表示ゲームを所定回数（例えば最大４回）まで記憶し、未処理（未実行）の状態で保留する。さらに、保留されている遊技球通過の回数を、例えば表示装置７の表示部７ａの一部分、あるいは遊技盤１に別個に設けた普図変動記憶表示部（図示せず）に表示し、前回の普図変動表示ゲームが終了した後に保留分の普図変動表示ゲームを順次実行する。
【００３６】
また、遊技球がセンターケース６の側方（左側方）を流下して球導出路２５に進入すると、この遊技球は、球導出路２５の出口から球転動部２４の後側ステージ２７へ流下し、この流下勢により後側ステージ２７を左右方向の中央部分へ向けて転動する。そして、遊技球が後側ステージ２７上を左右に揺動して転動する勢いが弱くなった状態で前方案内部３１、あるいは後側ステージ２７の中央部分の凹み部に到達すると、遊技球は、左右いずれかに移動しながら前方へ転動して前側ステージ２８へ流下する。すると、後側ステージ２７から流下した遊技球は、前側ステージ２８を左右方向の中央部分へ向けて転動して、ケース大入賞口３３の扉部材３６の上面に到達する。一方、後側ステージ２７の中央部分の凹み部から流下した遊技球は、扉部材３６の上面の後側に直接落下する。扉部材３６上に遊技球が到達すると、該遊技球の流下勢により誘導部４３へ到達せずに扉部材３６上を前方へ転動したり、あるいは、誘導部４３の誘導路４７へ進入したりする。そして、誘導部４３から外れた場所を前方へ転動する遊技球は、遊技領域４のうち始動入賞口８の真上から外れた位置へ落下する。また、誘導状態の誘導部４３まで到達した遊技球は、図４（ａ）に示すように、誘導部４３の誘導路４７を流下して補助誘導部４４に落下し、補助誘導部４４から始動入賞口８の真上に落下する。したがって、誘導部４３および補助誘導部４４に誘導された遊技球は、始動入賞口８へ入賞し易い。
【００３７】
さらに、球導出路２５へ進入せずにセンターケース６の側方を流下した遊技球は、センターケース６の下方の障害釘に弾かれて飛翔し、凹室１７の前方から進入して球転動部２４の前側ステージ２８へ到達する場合がある。この場合には、前側ステージ２８に到達した遊技球は、その飛翔勢により扉部材３６へ向けて流下し、誘導部４３へ到達せずに（または誘導部４３を通過して）扉部材３６上を前方へ転動したり、あるいは誘導部４３の誘導路４７へ進入したりする。そして、誘導部４３から外れた場所を転動する遊技球は、遊技領域４のうち始動入賞口８の真上から外れた位置へ落下する。また、誘導部４３まで到達した遊技球は、図４（ａ）に示すように、誘導部４３の誘導路４７を流下して補助誘導部４４に落下し、補助誘導部４４から始動入賞口８の真上に落下する。したがって、誘導部４３および補助誘導部４４に誘導された遊技球は、始動入賞口８へ入賞し易い。
【００３８】
そして、遊技球が始動入賞口８に入賞すると、表示装置７の表示部７ａにおいて特図変動表示ゲームが行われる。この特図変動表示ゲームの結果、表示部７ａにおける表示内容が予め定められた特別表示（大当たり表示）になると、パチンコ遊技機は、遊技者にとって有利な特別遊技状態（大当たり状態）を発生し、複数のラウンドに区切って特別遊技を実行する。このとき、或るラウンドにおいては領域大入賞口１１のみを開放して遊技球を入賞可能とし、領域大入賞口１１を開放しない特定のラウンド（本発明における特定遊技状態に相当）においては、ケース大入賞口３３のみを開放、すなわち扉部材３６を開状態に変換して遊技球を入賞可能とする。したがって、誘導部４３が誘導不能状態に変換する。なお、特図変動表示ゲームの実行中に遊技球が始動入賞口８に入賞した場合には、この入賞により実行されるはずの特図変動表示ゲームを所定回数（例えば最大４回）まで記憶し、未処理（未実行）の状態で保留する。さらに、保留されている入賞の回数を、例えば表示装置７の表示部７ａの一部分、あるいは遊技盤１に別個に設けた可変表示記憶表示部（図示せず）に表示する。
【００３９】
さらに、扉部材３６を開状態に変換した状態で、遊技球が球導出路２５を通過して、あるいはセンターケース６の下方の障害釘に弾かれて球転動部２４に到達すると、この遊技球は、図４（ｂ）に示すように、ケース大入賞口３３に入賞したり、あるいは前側ステージ２８のうちケース大入賞口３３の側方から前方へ転動して遊技領域４へ流下したりする。このとき、扉部材３６が開状態に変換し、さらに誘導部４３が誘導不能状態に変換しているので、球転動部２４を転動する遊技球は、扉部材３６の誘導部４３に到達することができない。この結果、補助誘導部４４、ひいては始動入賞口８の真上に流下することができない。
【００４０】
このように、センターケース６は、特別遊技状態のうち特定のラウンド（特定遊技状態）では、扉部材３６を開いて遊技球がケース大入賞口３３に入賞することを許容するとともに、遊技球が誘導部４３および補助誘導部４４を介して始動入賞口８側へ誘導されることを阻止する。一方、特定遊技状態が発生していない非特定遊技状態（具体的には、特別遊技状態のうち特定のラウンド以外のラウンド、あるいは大当たり状態である特別遊技状態が発生していない遊技状態）においては、扉部材３６を閉じて遊技球がケース大入賞口３３に入賞することを阻止するとともに、遊技球が誘導部４３および補助誘導部４４を介して始動入賞口８側へ誘導されることを許容する。したがって、扉部材３６の開閉により、球転動部２４を転動する遊技球がケース大入賞口３３へ入賞可能か否かを変化させることができ、さらには、球転動部２４上の遊技球の挙動を複雑にして遊技球がセンターケース６の下方の始動入賞口８へ誘導される度合い、詳しくは始動入賞口８へ誘導されるか否かを変化させることができる。このことから、ケース大入賞口３３の扉部材３６を開閉して、遊技球が始動入賞口８へ入賞するという期待感を変化させることができ、遊技の興趣を高めることができる。
【００４１】
また、補助誘導部４４は、上端を誘導部４３側へ向けて開放し、下端を始動入賞口８側へ向けて開放した窪部で構成されているので、補助誘導部４４による遊技球の誘導を安定して行うことができ、誘導部４３から流下する遊技球を始動入賞口８へ入賞し易くすることができる。このことから、始動入賞口８と誘導部４３（詳しくはケース大入賞口３３）との距離が上下に離れたとしても、遊技球が誘導部４３から始動入賞口８へ誘導され難くなるという不都合を避けることができる。この結果、遊技盤１の構成部品のレイアウトの自由度を増すことができ、遊技の興趣を高めたパチンコ遊技機を実現し易くなる。さらに、誘導部４３は、扉部材３６の上面に突出した２条の突起４６から構成され、該突起４６の下流側端を補助誘導部４４の上流側に対向する位置に配置したので、遊技球を誘導可能な誘導部４３を簡単な構成で実現することができる。
【００４２】
そして、特別遊技状態において、予め定められたラウンド回数が終了すると、パチンコ遊技機は、特別遊技状態から通常遊技状態に戻り、領域大入賞口１１およびケース大入賞口３３を閉成する。また、未実行の特図変動表示ゲームが保留されている場合には、再び特図変動表示ゲームを実行する。
【００４３】
なお、扉部材３６に設けられた誘導部４３は、２条の突起４６で形成されることに限定されない。例えば、図５に示す変形例の誘導部４３′は、扉部材３６の上面（閉状態における扉部材３６の上面）を下方へ窪ませて形成された窪部で構成されている。また、窪部を上方および前方へ開放して窪部の内側に遊技球を前方へ誘導可能な誘導路４７′を形成し、該誘導路４７′を補助誘導部４４の後方に並んだ状態、具体的には、誘導路４７′（すなわち窪部）の下流側を補助誘導部４４の上流側に対向する状態で配置し、誘導路４７′と補助誘導部４４とを連通している。このような窪部により構成された誘導部４３′を備えると、遊技球の誘導を安定して行うことができ、扉部材３６上の遊技球を始動入賞口８へ一層入賞し易くすることができる。
【００４４】
ところで、上記実施形態においては、扉部材３６を開状態に変換すると、球転動部２４上の遊技球が始動入賞口８へ誘導されないように構成したが、本発明はこれに限定されない。例えば、図６に示す第２実施形態におけるケース大入賞口５０は、基本的には第１実施形態と同じ構成であるが、誘導部および補助誘導部を備えず、その代りに、扉部材３６の開閉に拘らず扉部材３６上の遊技球を始動入賞口８側へ誘導可能な誘導流下部５２を備えた点で異なる。具体的に説明すると、誘導流下部５２は、扉部材３６に開設された誘導流入口５３と、球流下空間部３７内に配置された誘導流路５４と、球流下空間部３７の前側区画壁に開設された誘導流出口５５とから構成されている。
【００４５】
誘導流入口５３は、遊技球が通過可能な円形状の貫通孔で形成され、扉部材３６の左右方向の略中央、言い換えると始動入賞口８の真上に対応する位置に後側ステージ２７へ寄せた状態で開設されている。また、誘導流路５４は、上方および前方を開放した樋部材を前方へ下り傾斜して構成され、扉部材３６を閉状態に変換すると、扉部材３６により上方から覆われるとともに、当該誘導流路５４の上流部（後部）に誘導流入口５３を連通するように構成されている。一方、扉部材３６を開状態に変換すると、扉部材３６が当該誘導流路５４の上方から外れて、誘導流入口５３を介さずに遊技球を上方から受け入れ可能となるように構成されている。そして、誘導流出口５５は、球流下空間部３７の前側区画壁、言い換えると凹室１７の底部２２の前面側に、遊技球が通過可能な円形状の貫通孔を前後方向へ貫通して形成され、始動入賞口８の真上に配置されている。また、誘導流出口５５の後方に誘導流路５４の下流端を連通している。
【００４６】
このような誘導流下部５２を備えて、パチンコ遊技機が特別遊技状態中に特定ラウンド（特定遊技状態）を発生すると、扉部材３６が開状態（図６（ｂ）中二点鎖線で示す縦向き状態）に変換して入賞開口部３５が開放され、且つ入賞開口部３５の左右方向の略中央部分に誘導流路５４が露出する。この状態で球転動部２４上の遊技球がケース大入賞口５０に到達し、誘導流路５４の左右外方から入賞開口部３５へ流下すると、この遊技球は、球流下空間部３７および入賞検出センサ３８を通過する。このようにして遊技球がケース大入賞口５０に入賞する。また、誘導流路５４に流下すると、この遊技球は、誘導流路５４を前方へ流下し、誘導流出口５５を通過して始動入賞口８の真上に誘導される。したがって、誘導流路５４を流下した遊技球は、始動入賞口８へ入賞し易い。
【００４７】
一方、特定ラウンド発生状態以外の状態（非特定遊技状態）においては、扉部材３６が閉状態（図６中実線で示す横向き状態）に変換して入賞開口部３５が閉成され、誘導流入口５３と誘導流路５４とが連通する。この状態で球転動部２４上の遊技球がケース大入賞口５０の扉部材３６の上面に到達し、誘導流入口５３へ落下せずに前方へ転動すると、この遊技球は、始動入賞口８の真上から左右へ外れた位置から遊技領域４へ流下し易く、このため、始動入賞口８へ入賞し易い。また、誘導流入口５３へ落下すると、この遊技球は、誘導流路５４を前方へ流下し、誘導流出口５５を通過して始動入賞口８の真上に誘導される。したがって、誘導流路５４を流下した遊技球は、始動入賞口８へ入賞し易い。
【００４８】
このように、第２実施形態におけるセンターケース６は、特別遊技状態のうち特定のラウンド（特定遊技状態）では、扉部材３６を開いて遊技球がケース大入賞口５０に入賞することを許容するとともに、誘導流路５４の上方を開放して、誘導流路５４に落下した遊技球が誘導流路５４および誘導流出口５５を介して始動入賞口８側へ誘導されることを許容する。一方、特定遊技状態が発生していない非特定遊技状態においては、扉部材３６を閉じて遊技球がケース大入賞口５０に入賞することを阻止するとともに、遊技球が誘導流入口５３、誘導流路５４、および誘導流出口５５を介して始動入賞口８に入賞することを許容する。したがって、扉部材３６の開閉により、球転動部２４を転動する遊技球がケース大入賞口５０へ入賞可能か否かを変化させることができ、さらには、球転動部２４上の遊技球の挙動を複雑にして遊技球がセンターケース６の下方の始動入賞口８へ誘導される度合い、詳しくは始動入賞口８へ誘導される経路を変化させることができる。このことから、ケース大入賞口５０の扉部材３６を開閉して、遊技球がケース大入賞口５０とは異なる入賞部、すなわち始動入賞口８へ入賞するという期待感を変化させることができ、遊技の興趣を高めることができる。
【００４９】
また、特定遊技状態を発生している間に遊技球が始動入賞口８へ入賞できるように設定することができる。これにより、この入賞に基づく特図変動表示ゲームの実行を保留し、特別遊技状態から通常遊技状態に戻った直後に、保留分の特図変動表示ゲームを実行することができる。したがって、遊技者は、複数の特図変動表示ゲームを短い期間に楽しむことができ、遊技の興趣を一層高めることができる。
【００５０】
ところで、上記各実施形態では、ケース大入賞口３３，５０に１つの扉部材３６を設けたが、本発明はこれに限定されず、複数の扉部材を設けてもよい。例えば、図７に示す第３実施形態におけるセンターケース６のケース大入賞口６０は、基本的な構成は上記各実施形態と同じであるが、２つの扉部材６１を備え、両扉部材６１の間に遊技球が通過可能な球通路６２を備えている点で異なる。
【００５１】
具体的に説明すると、第３実施形態におけるケース大入賞口６０は、入賞開口部３５の左右方向の中央部分に前方へ下り傾斜した球通路６２を配置し、該球通路６２の左右幅を遊技球の直径よりも広く設定している。さらに、球通路６２の下流部となる傾斜下端を始動入賞口８の真上に対応する位置に配置している。また、球通路６２の左右両側には、入賞開口部３５の左右各側部を開閉可能な２つの扉部材６１を配置し、各扉部材６１の回動軸６３を球通路６２の傾斜方向へ沿って前後に延出した状態で備え、この回動軸６３を入賞開口部３５の前後両側縁の球通路６２寄りに回動自在な状態で軸着し、回動軸６３の端部を開閉ソレノイドの出力ロッドに接続している。そして、例えば、開閉ソレノイドを消磁した常態においては、扉部材６１は、その自由端部（外側端部）を入賞開口部３５の側縁部の近傍に配置し、且つ前方へ僅かに下り傾斜した姿勢に設定され、入賞開口部３５、すなわちケース大入賞口６０を閉成する閉状態（横向き状態）を維持する（図７（ａ）参照）。一方、開閉ソレノイドを励磁すると、回動軸６３周りに回動し、当該扉部材６１の自由端部を上方へ移動して、入賞開口部３５、すなわちケース大入賞口６０を開放する開状態（縦向き状態）に変換する（図７（ｂ）参照）。なお、閉状態の扉部材６１は、左右に位置する前側ステージ２８よりも僅かに低い位置に配置され、前側ステージ２８あるいは後側ステージ２７を流下してきた遊技球が当該扉部材６１の上面へ転動できるように設定される。また、球通路６２の傾斜下端部の左右両側方であって、扉部材６１および入賞開口部３５の前方には、遊技球を前方へ誘導可能な誘導突部６４を扉部材６１の回動軸６３の延長線上に沿う状態で突設している。
【００５２】
このような球通路６２および扉部材６１を備えて、パチンコ遊技機が特別遊技状態中に特定ラウンド（特定遊技状態）を発生すると、左右の扉部材６１が開状態に変換して入賞開口部３５が開放される（図７（ｂ）参照）。さらに、左右の扉部材６１が球通路６２の側縁の近傍に起立した姿勢で配置される。この状態で球転動部２４上の遊技球がケース大入賞口６０の球通路６２の後方以外、例えば入賞開口部３５の側方から近づくと、この遊技球は、入賞開口部３５に流下し易く、したがって、ケース大入賞口６０に入賞し易い。また、遊技球がケース大入賞口６０の球通路６２の後方から近づくと、この遊技球は、球通路６２へ進入し易い。さらに、起立した扉部材６１により球通路６２の下流側へ案内され、始動入賞口８の真上に誘導される。したがって、球通路６２を流下した遊技球は、始動入賞口８へ入賞し易い。
【００５３】
一方、特定ラウンド発生状態以外の状態（非特定遊技状態）においては、左右の扉部材６１が閉状態に変換して入賞開口部３５が閉成される（図７（ａ）参照）。さらに、左右の扉部材６１が球通路６２と略同一平面上に配置される。この状態で球転動部２４上の遊技球がケース大入賞口６０の扉部材６１の上面に到達すると、この遊技球は、扉部材６１および球通路６２を前方へ転動して始動入賞口８の上方へ流下する。このとき、球通路６２と扉部材６１との間には、遊技球の流下方向を規制可能な部材を配置していないので、遊技球が球通路６２を転動したとしても球通路６２の途中で側方へ外れることもあり、この結果、始動入賞口８の真上から外れた位置に流下して始動入賞口８へ誘導されない場合も生じる。したがって、扉部材６１を閉状態にすると、遊技球を始動入賞口８へ誘導する確率が扉部材６１を開状態にした場合よりも低くなり易い。なお、遊技球が球通路６２の傾斜下端部まで流下した場合には、この遊技球は、左右の誘導突部６４により球通路６２から外れ難く、この結果、始動入賞口８の真上に流下して始動入賞口８へ入賞し易い。
【００５４】
このように、第３実施形態におけるセンターケース６は、特別遊技状態のうち特定のラウンド（特定遊技状態）では、左右の扉部材６１を開いて遊技球がケース大入賞口６０に入賞することを許容するとともに、左右の扉部材６１を球通路６２の側縁に起立した姿勢で配置し、球通路６２を通過する遊技球を始動入賞口８の上方へ誘導する。一方、特定遊技状態が発生していない非特定遊技状態においては、左右の扉部材６１を閉じて遊技球がケース大入賞口６０に入賞することを阻止するとともに、左右の扉部材６１を球通路６２と略同一平面上に配置し、球通路６２を通過する遊技球を球通路６２から外れることを許容する。したがって、扉部材６１の開閉により、球転動部２４を転動する遊技球がケース大入賞口６０へ入賞可能か否かを変化させることができ、さらには、球転動部２４上の遊技球の挙動を複雑にして遊技球がセンターケース６の下方の始動入賞口８へ誘導される度合い、詳しくは始動入賞口８へ誘導され易くなるか否かを変化させることができる。このことから、ケース大入賞口６０の扉部材６１を開閉して、遊技球が始動入賞口８へ入賞するという期待感を変化させることができ、遊技の興趣を高めることができる。
【００５５】
さらに、特定遊技状態を発生している間に遊技球が始動入賞口８へ入賞できるように設定することができる。これにより、この入賞に基づく特図変動表示ゲームの実行を保留し、特別遊技状態から通常遊技状態に戻った直後に、保留分の特図変動表示ゲームを実行することができる。したがって、遊技者は、複数の特図変動表示ゲームを短い期間に楽しむことができ、遊技の興趣を一層高めることができる。
【００５６】
なお、図８に示すように、球転動部２４（前側ステージ２８）のうち球通路６２と始動入賞口８との間、詳しくは球通路６２の前方を下方へ窪ませて補助誘導部６６を形成し、該補助誘導部６６の上端を球通路６２側へ向けて開放し、下端を始動入賞口８側へ向けて開放して、球通路６２を流下してきた遊技球を補助誘導部６６により始動入賞口８側へ誘導するように構成してもよい。このような補助誘導部６６を備えれば、起立扉部材６１により誘導された遊技球を始動入賞口８へ一層入賞し易くすることができ、遊技の興趣をさらに高めることができる。
また、第３実施形態における扉部材は２つに限定されない。開状態において遊技球を始動入賞口８側へ誘導可能となる扉部材であれば、３つ以上であってもよい。
【００５７】
ところで、上記各実施形態では、扉部材３６，６１の下方に球流下空間部３７を配置し、遊技球が入賞開口部３５から下方へ流下してケース大入賞口３３，５０，６０へ入賞するように構成されたが、本発明はこれに限定されない。例えば、図９に示す第４実施形態においては、基本的な構成は第１実施形態と同じであるが、球流下空間部の配置および扉部材の周辺の構成が異なる。具体的に説明すると、第４実施形態におけるケース大入賞口７０は、扉部材３６の下方に、遊技球を後方へ案内可能な球案内路７２を配置している。また、扉部材３６および球案内路７２の後方、詳しくは、前側ステージ２８と後側ステージ２７との間に垂下された段差壁７３のうち、扉部材３６および球案内路７２の後方に位置する箇所には、遊技球が後方へ通過可能な通過開口７４を開設し、該通過開口７４の開口高さを遊技球の直径よりも僅かに広く設定している。さらに、通過開口７４の上縁部を閉状態の扉部材３６（あるいは前側ステージ２８）よりも高い位置に配置し、下縁部を閉状態の扉部材３６（あるいは前側ステージ２８）および球案内路７２の傾斜下端よりも低い位置に配置している。そして、通過開口７４の後方に球流下空間部７５を配置し、該球流下空間部７５の下端に入賞検出センサ３８を備えている。
【００５８】
なお、第４実施形態では、扉部材３６の上面の自由端部側縁（後側縁）にリブ状の阻止突部７７を突設し、扉部材３６が閉状態に変換すると、阻止突部７７が通過開口７４の前方に配置され、遊技球が通過開口７４に入ることを阻止できるように構成されている。また、誘導部４３を扉部材３６の上面に突出した２条の突起４６と該突起４６の間に形成された誘導路４７とから構成し、突起４６の下流側端（前側端）を始動入賞口８寄りに配置し、遊技球を誘導可能な誘導部４３を簡単な構成で実現できるように構成されている。さらに、球転動部２４のうち誘導部４３と始動入賞口８との間には、遊技球を前方へ誘導可能な誘導突部７８を突起４６の延長線上に並ぶ状態で突設している。
【００５９】
このような球案内路７２、通過開口７４および球流下空間部７５を備えて、パチンコ遊技機が特別遊技状態中に特定ラウンド（特定遊技状態）を発生すると、扉部材３６が開状態（図９（ｂ）中実線で示す縦向き状態）に変換して入賞開口部３５が開放され、球案内路７２が露出する。さらに、扉部材３６の自由端部が通過開口７４から遠ざかり、誘導路４７の上流側端および扉部材３６の自由端部が前側ステージ２８よりも高い位置に設定される。この結果、扉部材３６上に遊技球を転動させること、および遊技球を誘導部４３の誘導路４７へ到達させることができず、前側ステージ２８や後側ステージ２７を転動してきた遊技球を誘導路４７に受け入れ不能となる。すなわち、誘導部４３は、扉部材３６が開状態に変換すると、遊技球を始動入賞口８の上方へ誘導しない誘導不能状態に変換する。また、この状態で球転動部２４上の遊技球がケース大入賞口７０に近づいて入賞開口部３５に流下すると、この遊技球は、球案内路７２を流下して後方へ転動し、球流下空間部７５および球流下空間部７５および入賞検出センサ３８を通過してケース大入賞口７０に入賞する。
【００６０】
一方、特定ラウンド発生状態以外の状態（非特定遊技状態）においては、扉部材３６が閉状態（図９（ｂ）中二点鎖線で示す横向き状態）に変換して入賞開口部３５が閉成され、球案内路７２が扉部材３６により上方から覆われる。また、扉部材３６の自由端部が通過開口７４に近づいて通過開口７４の上下方向の略中間部分の前方に配置され、通過開口７４のうち扉部材３６よりも上方に露出した部分の上下幅を遊技球の直径よりも狭く設定し、遊技球が通過開口７４を通過しないように構成される。さらに、誘導部４３が誘導状態に変換する。この状態で遊技球が扉部材３６上に到達すると、遊技球の流下勢により誘導部４３へ到達せずに扉部材３６上を前方へ転動したり、あるいは、誘導部４３の誘導路４７へ進入したりする。そして、誘導部４３から外れた場所を転動する遊技球は、遊技領域４のうち始動入賞口８の真上から外れた位置へ落下する。また、誘導状態の誘導部４３まで到達した遊技球は、誘導部４３の誘導路４７を流下して誘導突部７８に到達し、さらに始動入賞口８の真上に落下する。したがって、誘導部４３および誘導突部７８に誘導された遊技球は、始動入賞口８へ入賞し易い。
【００６１】
このように、第４実施形態におけるセンターケース６は、特別遊技状態のうち特定のラウンド（特定遊技状態）では、扉部材３６を開いて球案内路７２を露出し、且つ扉部材３６を通過開口７４から遠ざけて、遊技球がケース大入賞口７０に入賞することを許容するとともに、誘導部４３を誘導不能状態に変換して遊技球が始動入賞口８側へ誘導されることを阻止する。一方、特定遊技状態が発生していない非特定遊技状態においては、扉部材３６を閉じて球案内路７２を覆い、且つ扉部材３６を通過開口７４に近づけて、遊技球がケース大入賞口７０に入賞することを阻止するとともに、誘導部４３を誘導状態に変換して遊技球が始動入賞口８側へ誘導されることを許容する。したがって、扉部材３６の開閉により、球転動部２４を転動する遊技球がケース大入賞口７０へ入賞可能か否かを変化させることができ、さらには、球転動部２４上の遊技球の挙動を複雑にして遊技球がセンターケース６の下方の始動入賞口８へ誘導される度合い、詳しくは始動入賞口８へ誘導されるか否かを変化させることができる。このことから、ケース大入賞口７０の扉部材３６を開閉して、遊技球が始動入賞口８へ入賞するという期待感を変化させることができ、遊技の興趣を高めることができる。
【００６２】
また、球流下空間部７５を扉部材３６の後方に配置したので、ケース大入賞口７０への入賞球を扉部材３６の後方へ案内して回収することができる。したがって、遊技球の回収路をセンターケース６の下部に配置する必要がなく、センターケース６のデザインの自由度や、センターケース６とその下方の始動入賞口８との距離の自由度を増大することができる。
【００６３】
なお、図１０（ａ）に示すように、閉状態における扉部材３６の自由端部から上方へ阻止壁８０を延設して、通過開口７４の上側を阻止壁８０により十分に覆うように構成してもよい。このような阻止壁８０を設けて扉部材３６を開状態に変換すると、阻止壁８０が始動入賞口８の真上に突出する状態で配置される。したがって、図１０（ｂ）に示すように、センターケース６の側方から始動入賞口８へ向けて流下した遊技球が命釘１４に弾かれて始動入賞口８への入賞を阻止されたとしても、この遊技球が阻止壁８０の下面に衝突して跳ね返り、再び始動入賞口８へ向けて流下可能となるように構成することができる。この結果、遊技者は、始動入賞口８の上方で複雑な遊技球の動きを見ることができ、しかもこの遊技球が始動入賞口８に入賞するかもしれないという期待感を持つことができる。これにより、遊技の興趣の向上を図ることができる。
【００６４】
上記した各実施形態においては、センターケース６の下方に入賞部として始動入賞口８を配置したが、本発明はこれに限定されない。遊技球が入賞可能な入賞部であれば、どのようなものでもよく、例えば、遊技球を取り込んで入賞させる一般入賞口でもよいし、あるいは遊技球を通過させて入賞させる入賞ゲートであってもよい。
【００６５】
また、補助誘導部は、窪部で構成されることに限らず、誘導部から誘導されてきた遊技球を入賞部へ誘導可能であればどのような構成であってもよい。例えば、補助誘導部を樋部材で形成してもよい。
【００６６】
そして、上記した実施形態は、代表的な遊技機であるパチンコ遊技機１を例に挙げて説明したが、本発明はこれに限らず、遊技球が転動可能な球転動部を有するセンターケースと、該センターケースの下方に配置され、遊技球を入賞可能な入賞部とを備えた遊技機であればどのような遊技機でもよい。例えば、内部に封入した遊技球を循環させる封入球式パチンコ機、アレンジボール式遊技機、雀球式遊技機等の遊技機であってもよい。
【００６７】
なお、前記した実施の形態は全ての点で例示であって制限的なものではないと考えられるべきである。本発明は、上記した説明に限らず特許請求の範囲によって示され、特許請求の範囲と均等の意味及び範囲内での全ての変更が含まれるものである。
【図面の簡単な説明】
【００６８】
【図１】遊技盤の正面図である。
【図２】センターケースの斜視図である。
【図３】（ａ）は扉部材を閉状態に変換したケース大入賞口の説明図、（ｂ）は開状態に変換したケース大入賞口の説明図である。
【図４】（ａ）は扉部材を閉状態に変換したケース大入賞口の断面図、（ｂ）は開状態に変換したケース大入賞口の断面図である。
【図５】第１実施形態のケース大入賞口の変形例の説明図であり、（ａ）は斜視図、（ｂ）は断面図である。
【図６】第２実施形態におけるケース大入賞口の説明図であり、（ａ）は斜視図、（ｂ）は断面図である。
【図７】第３実施形態におけるケース大入賞口の斜視図であり、（ａ）は扉部材を閉状態に変換した説明図、（ｂ）は扉部材を開状態に変換した説明図である。
【図８】第３実施形態のケース大入賞口の変形例の説明図であり、（ａ）は斜視図、（ｂ）は断面図である。
【図９】第４実施形態におけるケース大入賞口の説明図であり、（ａ）は斜視図、（ｂ）は断面図である。
【図１０】第４実施形態のケース大入賞口の変形例の説明図であり、（ａ）は斜視図、（ｂ）は断面図である。
【符号の説明】
【００６９】
１  遊技盤
４  遊技領域
６  センターケース
７  表示装置
７ａ  表示部
８  始動入賞口
１１  領域大入賞口
１７  凹室
１８  窓部
２２  底部
２４  球転動部
２５  球導出路
２７  後側ステージ
２８  前側ステージ
３３  ケース大入賞口
３５  入賞開口部
３６  扉部材
３７  球流下空間部
４３  誘導部
４３′  誘導部
４４  補助誘導部
４６  突起
５０  ケース大入賞口
５２  誘導流下部
５３  誘導流入口
５４  誘導流路
５５  誘導流出口
６０  ケース大入賞口
６１  扉部材
６２  球通路
６６  補助誘導部
７０  ケース大入賞口
７２  球案内路
７４  通過開口
７５  球流下空間部
７７  阻止突部
７８  誘導突部
８０  阻止壁
【図１】
2007175221.tif 000003
【図２】
2007175221.tif 000004
【図３】
2007175221.tif 000005
【図４】
2007175221.tif 000006
【図５】
2007175221.tif 000007
【図６】
2007175221.tif 000008
【図７】
2007175221.tif 000009
【図８】
2007175221.tif 000010
【図９】
2007175221.tif 000011
【図１０】
2007175221.tif 000012